(57)【要約】【課題】  エアゾール容器の破裂を防止するエアゾール容器用マウンティンカップを提供【解決手段】  マウンティンカップ２９は、開口部３ａを被覆する上面部２９ａと、上面部２９ａの周端縁から連設された筒状の裾部２９ｂとから構成されている。また、裾部２９ｂは、裾部２９ｂの周端縁部分が首部７の外周面に当接するとともに、周端縁部分以外が口元部９の外周面９ａ全体に当接する。そして、首部７の外周面と当接している部分で裾部２９ｂが圧着されることにより、マウンティンカップ２９は開口部３ａに冠着される。更にマウンティンカップ２９の裾部２９ｂには、図（ａ）に示すように、切込部２９ｃが、裾部２９ｂの周方向に沿って１８０°間隔に計２個形成されている。或いは、切込部２９ｃの代わりに、図（ｂ）に示すように、切欠部２９ｄを形成してもよい。【選択図】図３
2006089108.tif 000002
【特許請求の範囲】
【請求項１】
液状内容物を収容する容器本体と、前記液状内容物を外部に排出するための開口部を一端に備え、他端が前記容器本体に連結されている筒状の首部とを備えるエアゾール容器の前記開口部に冠着されるエアゾール容器用マウンティンカップであって、
前記開口部を被覆する上面部と、
前記上面部の周端縁から連設され、前記首部の外周面と圧着される筒状の裾部と、を備え、
前記裾部には、該裾部の周端縁まで延びる切込部が設けられている、
ことを特徴とするエアゾール容器用マウンティンカップ。
【請求項２】
前記裾部に設けられる切込部は、
前記裾部の周方向に沿って、略等間隔に配置される、
ことを特徴とする請求項１に記載のエアゾール容器用マウンティンカップ。
【請求項３】
液状内容物を収容する容器本体と、前記液状内容物を外部に排出するための開口部を一端に備え、他端が前記容器本体に連結されている筒状の首部とを備えるエアゾール容器に冠着されるエアゾール容器用マウンティンカップであって、
前記開口部を被覆する上面部と、
前記上面部の周端縁から連設され、前記首部の外周面と圧着する筒状の裾部と、を備え、
前記裾部には、該裾部の周端縁に開口し前記上面部に向かう方向に沿って延びる切欠部が設けられる、
ことを特徴とするエアゾール容器用マウンティンカップ。
【請求項４】
前記裾部に設けられる切欠部は、
前記裾部の周方向に沿って、略等間隔に配置される、
ことを特徴とする請求項３に記載のエアゾール容器用マウンティンカップ。
【請求項５】
液状内容物を収容する容器本体と、前記液状内容物を外部に排出するための開口部を一端に備え、他端が前記容器本体に連結されている筒状の首部とを備えるエアゾール容器であって、
前記開口部が、請求項１〜請求項４に記載のエアゾール容器用マウンティンカップにより冠着された、
ことを特徴とするエアゾール容器。
【発明の詳細な説明】
【技術分野】
【０００１】
本発明は、エアゾール容器用マウンティンカップに関する。
【背景技術】
【０００２】
従来より、液状内容物を噴射剤ともに容器内に収容し、容器の開口部に取り付けられた噴出装置から液状内容物を噴出させるようにしたエアゾール容器が広く利用されている。
そして、このようなエアゾール容器において噴出装置を容器の開口部に一体的に取り付けるために、一般にマウンティンカップが、エアゾール容器の開口部に冠着される（例えば、特許文献１参照。）。
【特許文献１】特開平１１−１９３０８３号公報
【発明の開示】
【発明が解決しようとする課題】
【０００３】
また、直射日光が照射される自動車内等のような高温状態にエアゾール容器が長時間曝されると、容器内の内圧が上昇する。これにより、エアゾール容器の開口部に冠着されているマウンティンカップが開口部から外れて、噴出装置とともに容器から飛び出す、即ちエアゾール容器が破裂するという問題があった。
【０００４】
本発明はこうした問題に鑑みなされたものであり、エアゾール容器の破裂を防止するエアゾール容器用マウンティンカップ及びエアゾール容器を提供することを目的とする。
【課題を解決するための手段】
【０００５】
上記目的を達成するためになされた第１発明のエアゾール容器用マウンティンカップは、  液状内容物を収容する容器本体と、液状内容物を外部に排出するための開口部を一端に備え、他端が容器本体に連結されている筒状の首部とを備えるエアゾール容器の開口部に冠着されるエアゾール容器用マウンティンカップであって、開口部を被覆する上面部と、上面部の周端縁から連設され、首部の外周面と圧着される筒状の裾部とを備え、裾部には、この裾部の周端縁まで延びる切込部が設けられていることを特徴とする。
【０００６】
尚、切込部とは、裾部に切り目が入れられている部分を示す。
つまり第１発明のエアゾール容器用マウンティンカップでは、裾部において切込部が設けられている部位（以降、切込部位と称す）の方が、切込部が設けられていない部位よりも、裾部が首部の外周面と圧着される強さ（以降、圧着強度と称す）が小さくなる。
【０００７】
このため、第１発明のエアゾール容器用マウンティンカップでは、エアゾール容器が高温状態に長時間曝されて容器内の内圧が上昇した場合に、切込部位において、裾部と首部の外周面との間から液状内容物が外部に漏洩する通路（以降、リーク通路と称す）が形成される。
【０００８】
従って、この切込部位のリーク通路から液状内容物が外部に漏洩することにより容器の内圧上昇が抑制され、この結果、エアゾール容器の破裂が防止される。
また第１発明のエアゾール容器用マウンティンカップにおいては、裾部に設けられる切込部は、裾部の周方向に沿って、略等間隔に配置されるようにしてもよい。
【０００９】
このように構成されたエアゾール容器用マウンティンカップでは、リーク通路を裾部の周方向に沿って均等に配置することができる。
また第２発明のエアゾール容器用マウンティンカップは、液状内容物を収容する容器本体と、液状内容物を外部に排出するための開口部を一端に備え、他端が容器本体に連結されている筒状の首部とを備えるエアゾール容器に冠着されるエアゾール容器用マウンティンカップであって、開口部を被覆する上面部と、上面部の周端縁から連設され、首部の外周面と圧着する筒状の裾部とを備え、裾部には、この裾部の周端縁に開口し上面部に向かう方向に沿って延びる切欠部が設けられることを特徴とする。
【００１０】
尚、切欠部とは、上記の切込部と異なり、切り取られている部分を示す。即ち、切欠部は、裾部の周端縁の周方向に沿って幅を有しているのに対し、切込部は、裾部の周端縁の周方向に沿って幅を有していない。
【００１１】
つまり第２発明のエアゾール容器用マウンティンカップでは、裾部において切欠部が設けられている部位（以降、切欠部位と称す）の方が、切欠部が設けられていない部位よりも、圧着強度が小さくなる。
【００１２】
このため、第２発明のエアゾール容器用マウンティンカップでは、エアゾール容器が高温状態に長時間曝されて容器内の内圧が上昇した場合に、切欠部位においてリーク通路が形成される。
【００１３】
従って、この切欠部位のリーク通路から液状内容物が外部に漏洩することにより容器の内圧上昇が抑制され、この結果、エアゾール容器の破裂が防止される。
また第２発明のエアゾール容器用マウンティンカップにおいては、裾部に設けられる切欠部は、裾部の周方向に沿って、略等間隔に配置されるようにしてもよい。
【００１４】
このように構成されたエアゾール容器用マウンティンカップでは、リーク通路を裾部の周方向に沿って均等に配置することができる。
また、第１発明または第２発明のエアゾール容器用マウンティンカップにより開口部が冠着されたことを特徴とするエアゾール容器はそれぞれ、第１発明または第２発明のエアゾール容器用マウンティンカップと同様の効果を得ることができる。
【発明を実施するための最良の形態】
【００１５】
（第１実施形態）
以下に本発明の第１実施形態について図面をもとに説明する。
図１は本発明が適用されたエアゾール装置１の側面図であり、図１（ａ）はレフィールキャップ６０が装着された状態、図１（ｂ）は櫛部７０が装着された状態を示す。但し、肩カバー４０，レフィールキャップ６０及び櫛部７０は断面図で示している。
【００１６】
図１（ａ）に示すように、エアゾール装置１は、上部に開口部３ａ（図２参照）を有し、液状内容物（例えば、毛髪化粧剤の一種である酸性染毛料および噴射剤（例えばＬＰＧ，ＤＭＥ））を収容するエアゾール容器３と、開口部３ａを閉塞するようにエアゾール容器３に取り付けられるバルブユニット２０と、バルブユニット２０の側面を覆う肩カバー４０とから構成される。
【００１７】
これらのうちエアゾール容器３は、有底円筒状の容器本体部５と、容器本体部５と開口部３ａとを接続し、容器本体部５から開口部３ａに向けて径が徐々に小さくなる首部７と、開口部３ａの外周側に首部７に対して突出して形成される口元部９とからなる。尚、本実施形態では、エアゾール容器３はポリエチレンテレフタレート（ＰＥＴ）を材料として形成されている。
【００１８】
図２はエアゾール装置１の要部断面図である。バルブユニット２０は、図２に示すように、ガスケット２１を介して配置されるバルブハウジング２３と、バルブハウジング２３中にて上下動可能となるように挿入され、側壁に横穴２５ａを有する公知のステム２５と、ステム２５を開閉すると共に、横穴２５ａを塞ぐためのステムラバー２７と、ステム２５の上部側を突出させた状態でガスケット２１，バルブハウジング２３及びステムラバー２７をエアゾール容器３の開口部３ａに一体的に取り付けるマウンティンカップ２９とから構成される。
【００１９】
そしてバルブハウジング２３は、開口部３ａの内面に嵌入される有底筒状のバルブ本体部２３ａと、その上部外側に広がるフランジ部２３ｂと、バルブ本体部２３ａの下方に延びる筒部２３ｃとからなる。またバルブ本体部２３ａの内部には、ステム２５を上下動自在に収容する筒状の空所２３ｄが設けられ、その内面にはステム２５をガイドするリブ２３ｅが放射状に設けられている。尚、空所２３ｄと筒部２３ｃの筒内とは孔２３ｆで連通している。尚、フランジ部２３ｂはバルブハウジング２３をエアゾール容器３に固定するための部分である。また、エアゾール装置１が正立使用の場合、筒部２３ｃにはディップチューブ（図示せず）が勘着されエアゾール容器３の底部まで延びている。一方、エアゾール装置１が倒立使用の場合、孔２３ｆはバルブハウジング２３の横に設けられる（図示せず）。
【００２０】
また、バルブハウジング２３において、バルブ本体部２３ａの空所２３ｄの底面と、ステム２５との間には弾性部材としてコイルスプリング３１が配置され、ステム２５はこのコイルスプリング３１によって常に上方に付勢された状態となっている。
【００２１】
またマウンティンカップ２９は、開口部３ａを被覆する上面部２９ａと、上面部２９ａの周端縁から連設された筒状の裾部２９ｂとから構成されている。また裾部２９ｂは、裾部２９ｂの周端縁部分が首部７の外周面に当接するとともに、周端縁部分以外が口元部９の外周面全体に当接する。そして、首部７の外周面と当接している部分で裾部２９ｂが圧着されることにより、マウンティンカップ２９は開口部３ａに冠着される。
【００２２】
更にマウンティンカップ２９の裾部２９ｂには、図３（ａ）に示すように、裾部２９ｂの周端縁まで延びる切り目である切込部２９ｃが形成されている。尚、図３（ａ）に示されていないが、図示されている切込部２９ｃから裾部２９ｂの周方向に沿って１８０°離れた位置にも切込部２９ｃが形成されている。即ち、切込部２９ｃは、裾部２９ｂの周方向に沿って１８０°間隔に計２個形成されている。
【００２３】
このように構成されたエアゾール装置１では、ステム２５が押下されると、ステムラバー２７にて塞がれていたステム２５の横穴２５ａが開放され、横穴２５ａ，バルブ本体部２３ａの空所２３ｄにおける各リブ２３ｅ間の空間，孔２３ｆ，筒部２３ｃの筒内が互いに連通する。そして、収容された酸性染毛料が、噴射剤の圧力によって各空間（即ち、各リブ２３ｅ間，孔２３ｆ，筒部２３ｃの筒内等、それぞれが有する空間）及びステム２５内を通って外部に排出される。
【００２４】
尚、エアゾール装置１の未使用時には、肩カバー４０の上部に、レフィールキャップ６０が装着される（図１（ａ）参照）。これにより、バルブユニット２０が不用意に操作されることを防止する。
【００２５】
一方、エアゾール装置１の使用時には、肩カバー４０の上部に、ノズルとしての機能を有する櫛部７０が装着される（図１（ｂ）参照）。
この櫛部７０は、肩カバー４０と嵌合するためのネジ山７１ａが内周面に形成された円筒形状の櫛装着部７１と、櫛装着部７１の上部から突出し、上端が閉塞し下端が開口した有底筒状の支持体７３と、支持体７３の長手方向に対して直交する方向に植設された複数の櫛歯７５と、ステム２５を押下するために操作される操作レバー７７とから構成される。尚、支持体７３は櫛歯７５を支持するための部分である。
【００２６】
そして支持体７３の内部には、ステム２５から排出された酸性染毛料を導入する充填室７３ａが形成されている。また支持体７３には、櫛歯７５を植設するための植設口７３ｂが形成され、この植設口７３ｂそれぞれに対応して櫛歯７５が植設されている。
【００２７】
また櫛歯７５は、その側壁途中において、各櫛歯７５が向かい合う側にはノズル７５ａが形成され、櫛歯７５の内部には櫛歯７５の基部からノズル７５ａに向けて酸性染毛料を排出する誘導路としての誘導路７５ｂが形成されている。つまり、充填室７３ａはノズル７５ａを通じて外部と連通される。
【００２８】
尚、列設された櫛歯７５の両端には、支持体７３と一体に形成された両端櫛歯７９が設けられている。この二本の両端櫛歯７９には充填室７３ａと連通した誘導路が形成されていない。従ってノズルも形成されていない。
【００２９】
このように、エアゾール容器３とバルブユニット２０と肩カバー４０と櫛部７０とを備えたエアゾール装置１では、操作レバー７７が操作されると、ステム２５が押下される。この結果、酸性染毛料が、充填室７３ａに導入されて更に櫛歯７５に達し、ノズル７５ａから吐出される。また、ノズル７５ａから吐出した酸性染毛料は、各櫛歯７５のノズル７５ａの周囲付近で保持された状態となる。
【００３０】
即ち、使用者は、櫛歯７５に酸性染毛料が保持された状態の櫛部７０にて毛髪を梳くことにより、酸性染毛料を簡便に毛髪に塗布することができる。
このように構成された第１実施形態のエアゾール装置１では、裾部２９ｂにおいて切込部２９ｃが設けられている部位（切込部位）の方が、切込部２９ｃが設けられていない部位よりも、裾部２９ｂが首部７の外周面と圧着される強さ（圧着強度）が小さくなる。
【００３１】
このため、エアゾール装置１が高温状態に長時間曝されてエアゾール容器３内の内圧が上昇した場合に、切込部位において、裾部２９ｂと首部７の外周面との間から液状内容物が外部に漏洩する通路（リーク通路）が形成される。
【００３２】
従って、この切込部位のリーク通路から液状内容物が外部に漏洩することによりエアゾール容器３の内圧上昇が抑制され、この結果、エアゾール装置１の破裂が防止される。
またエアゾール装置１では、切込部２９ｃは、裾部２９ｂの周方向に沿って、略等間隔に配置されているため、リーク通路を裾部２９ｂの周方向に沿って均等に配置することができる。
【００３３】
（第２実施形態）
以下に本発明の第２実施形態について図面をもとに説明する。尚、第２実施形態では、第１実施形態と異なる部分のみを説明する。
【００３４】
第２実施形態におけるエアゾール装置１は、図３（ｂ）に示すように、切込部２９ｃの代わりに切欠部２９ｄが形成されていること以外は、第１実施形態におけるエアゾール装置１と同じである。
【００３５】
即ち、マウンティンカップ２９の裾部２９ｂには、裾部２９ｂの周端縁に開口し上面部２９ａに向かう方向に沿って延びる切欠部２９ｄが、裾部２９ｂの周方向に沿って１８０°間隔に計２個形成されている。
【００３６】
このように構成された第２実施形態のエアゾール装置１では、裾部２９ｂにおいて切欠部２９ｄが設けられている部位（切欠部位）の方が、切欠部２９ｄが設けられていない部位よりも、圧着強度が小さくなる。
【００３７】
このため、エアゾール装置１が高温状態に長時間曝されてエアゾール容器３内の内圧が上昇した場合に、切欠部位において、裾部２９ｂと首部７の外周面との間から液状内容物が外部に漏洩する通路（リーク通路）が形成される。
【００３８】
従って、この切欠部位のリーク通路から液状内容物が外部に漏洩することによりエアゾール容器３の内圧上昇が抑制され、この結果、エアゾール装置１の破裂が防止される。
またエアゾール装置１では、切欠部２９ｄは、裾部２９ｂの周方向に沿って、略等間隔に配置されているため、リーク通路を裾部２９ｂの周方向に沿って均等に配置することができる。
【００３９】
以上、本発明の一実施形態について説明したが、本発明は上記実施形態に限定されるものではなく、本発明の技術的範囲に属する限り種々の形態にて実施することが可能である。
【００４０】
例えば、上記第１実施形態では、裾部２９ｂの周端縁に対して垂直に直線状の切込部が形成されたものを示した。しかし、切込部は直線状に限定されず、任意の形の線で形成されればよい。例えば、裾部２９ｂの周端縁に対して垂直でない方向に切込部が形成されてもよいし、曲線状の切込部が形成されてもよい。また図３（ｃ）に示すように、Ｖ字の切込部２９ｅが形成されてもよい。
【００４１】
また上記第２実施形態では、裾部２９ｂに四角形状の切欠部が形成されたものを示した。しかし、切欠部の形状は四角に限定されず、任意の形状で形成されればよい。例えば、三角形や五角形等の多角形状でもよいし、円形状であってもよい。
【００４２】
また上記実施形態では、マウンティンカップ２９の裾部２９ｂに切込部または切欠部が２個形成されたものを示したが、切込部，切欠部が１個または３個以上形成されたものであってもよい。また、切込部と切欠部の両方が形成されたものでもよい。
【図面の簡単な説明】
【００４３】
【図１】エアゾール装置１の側面図。
【図２】エアゾール装置１の要部断面図。
【図３】マウンティンカップ２９の側面図。
【符号の説明】
【００４４】
１…エアゾール装置、３…エアゾール容器、３ａ…開口部、５…容器本体部、７…首部、９…口元部、２０…バルブユニット、２１…ガスケット、２３…バルブハウジング、２３ａ…バルブ本体部、２３ｂ…フランジ部、２３ｃ…筒部、２３ｄ…空所、２３ｅ…リブ、２３ｆ…孔、２５…ステム、２５ａ…横穴、２７…ステムラバー、２９…マウンティンカップ、２９ａ…上面部、２９ｂ…裾部、２９ｃ，２９ｅ…切込部、２９ｄ…切欠部、３１…コイルスプリング、４０…肩カバー、６０…レフィールキャップ、７０…櫛部、７１…櫛装着部、７１ａ…ネジ山、７３…支持体、７３ａ…充填室、７３ｂ…植設口、７５…櫛歯、７５ａ…ノズル、７５ｂ…誘導路、７７…操作レバー、７９…両端櫛歯。
【図２】
2006089108.tif 000003
【図３】
2006089108.tif 000004
【図１】
2006089108.tif 000005